(57)【要約】      （修正有）【課題】本考案は、カメラが曇るのを防止するカメラ曇り防止装置及びこのカメラ曇り防止装置を備えた冷蔵庫を提供する。【解決手段】本考案のカメラ曇り防止装置１０は、冷蔵庫のドアに設置され、カメラ曇り防止装置１０は少なくともベース、カメラ１３及び曇り防止部材を備え、ベースはドアに設置され、ベースはカメラ１３を設置するのに用いられ、曇り防止部材はカバー板１５１と発熱部材１５３を備え、カバー板１５１はベースをカバーし、発熱部材１５３はカバー板１５１に設置され、並びにカメラ１３を囲んでいる。カメラ曇り防止装置１０はカメラ１３が曇るのを防止する機能を有する。本考案はさらに、このカメラ曇り防止装置１０を備えた冷蔵庫を提供する。【選択図】図５
0003219453.tif 000002
【実用新案登録請求の範囲】
【請求項１】
カメラ曇り防止装置であって、冷蔵庫のドアに設置され、カメラ曇り防止装置は少なくともベース、カメラ、曇り防止部材を備え、前記ベースは前記ドアに設置され、前記ベースは前記カメラを設置するのに用いられ、前記曇り防止部材はカバー板と発熱部材を備え、前記カバー板は前記ベースに設置され、前記発熱部材は前記カバー板に設置され、並びに前記カメラを囲んでいることを特徴とするカメラ曇り防止装置。
【請求項２】
前記ベースはロックベースと固定ベースを備え、前記ロックベースは冷蔵庫のドアに設置され、前記固定ベースは前記ロックベースに取り付けられ、前記固定ベースは前記カメラを配置し、前記カバー板は前記固定ベースをカバーすることを特徴とする請求項１に記載のカメラ曇り防止装置。
【請求項３】
前記ロックベースは底板と突出部を備え、前記底板は前記冷蔵庫のドアに設置され、前記突出部は前記底板に垂直に設置され、前記固定ベースは前記突出部により前記ロックベース上に固定されることを特徴とする請求項２に記載のカメラ曇り防止装置。
【請求項４】
前記固定ベースは頂壁と外周壁を備え、前記外周壁は前記頂壁を囲んで設置されて、一つの配置部を備え、前記配置部は一つの開口を備え、前記突出部は前記開口により前記配置部に配置され、且つ前記ロックベースの底板は前記開口を遮蔽し、前記頂壁には凹溝が設置されており、前記凹溝は底壁と周壁を備え、前記凹溝は前記カメラを配置するのに用いられ、前記カバー板は前記凹溝をカバーすることを特徴とする請求項３に記載のカメラ曇り防止装置。
【請求項５】
前記固定ベースはさらに第一フックを備え、前記第一フックは前記凹溝の底壁に設置され、前記フックはＵ字状を呈し、前記カメラを前記フックのＵ字状の口により係合させて固定することを特徴とする請求項４に記載のカメラ曇り防止装置。
【請求項６】
前記カバー板は係合部を備え、前記係合部はリング状を呈し、前記係合部は前記カバー板の前記ベースに向く表面に設置され、前記係合部は前記凹溝内に配置され、且つ前記凹溝の周壁に貼り合されることを特徴とする請求項４に記載のカメラ曇り防止装置。
【請求項７】
前記カバー板はさらにフック部を備え、前記フック部は前記係合部の前記カバー板から離れる一端に設置され、前記フック部は主体部と鈎部を備え、前記鈎部は前記主体部の前記係合部から離れる一端に設置され、対応して、前記凹溝の周壁には前記フック部に対応し、且つマッチする係合溝が設置され、前記鈎部は対応する係合溝に係合され、前記カバー板は前記凹溝に係合されることを特徴とする請求項６に記載のカメラ曇り防止装置。
【請求項８】
前記カバー板上には第二フックが設置されており、前記第二フックは前記カバー板の前記ベースに向く表面に設置され、前記第二フックはＣ型を呈し、前記発熱部材はＣ型の口により前記第二フックに係合されて、発熱部材を固定することを特徴とする請求項１に記載のカメラ曇り防止装置。
【請求項９】
前記曇り防止部材はさらに保護フィルムを備え、前記保護フィルムは前記発熱部材の表面を覆うことを特徴とする請求項１に記載のカメラ曇り防止装置。
【請求項１０】
少なくともキャビネットとドアを備え、請求項１〜９のいずれか一項に記載のカメラ曇り防止装置を更に備えることを特徴とする冷蔵庫。
【考案の詳細な説明】
【技術分野】
【０００１】
本考案は、カメラ曇り防止装置及びこのカメラ曇り防止装置を備えた冷蔵庫に関する。
【背景技術】
【０００２】
現在、画像識別機能を有する冷蔵庫カメラが普及しているが、それと共に様々な問題も起こっている。例えば、冷蔵庫内にカメラを配置し、冷蔵庫のドアを開けた際にカメラのレンズが曇り、カメラの視覚を遮ってしまう。
【考案の概要】
【考案が解決しようとする課題】
【０００３】
以上の問題点に鑑み、本考案は、カメラが曇るのを防止するカメラ曇り防止装置を提供することを目的とする。また、本考案はさらにこのカメラ曇り防止装置を備えた冷蔵庫を提供することも目的とする。
【課題を解決するための手段】
【０００４】
本考案のカメラ曇り防止装置は、冷蔵庫のドアに設置され、カメラ曇り防止装置は少なくともベース、カメラ及び曇り防止部材を備え、ベースはドアに設置され、ベースはカメラを設置するのに用いられ、曇り防止部材はカバー板と発熱部材を備え、カバー板はベースをカバーし、発熱部材はカバー板に設置され、並びにカメラを囲んでいる。
【０００５】
本考案の冷蔵庫は、キャビネットとドアを備え、冷蔵庫はさらにカメラ曇り防止装置を備える。
【考案の効果】
【０００６】
以上のことから、カメラはベースに固定され、カバー板はベースをカバーする。発熱部材はカバー板に設置され、並びにカメラを囲んでいる。このように、カメラのレンズの温度を保証し、ドアを開けた時に内外の温度差によりカメラのレンズが曇り、カメラの撮影に影響するのを防止することができる。また、カメラ曇り防止装置は、構造が簡単でスピーディに取り付けることができる。
【図面の簡単な説明】
【０００７】
【図１】本考案に係る実施例のカメラ曇り防止装置を備えた冷蔵庫の構造を示す図である。
【図２】本考案の図１に示すカメラ曇り防止装置の構造を示す図である。
【図３】本考案の図２に示すカメラ曇り防止装置の一部の構造の分解図である。
【図４】本考案の図３に示すカメラ曇り防止装置のある角度から見た一部の構造の分解図である。
【図５】本考案の図２に示すカメラ曇り防止装置の構造を示す分解図である。
【図６】本考案の図５に示すカメラ曇り防止装置のある角度から見た構造の分解図である。
【考案を実施するための形態】
【０００８】
以下、具体的な実施方法と図面とを併せて、本考案を詳細に説明する。
【０００９】
本考案の実施例中の図面と併せて、本考案の実施例中の技術方案に対して明瞭且つ完全に説明する。しかしながら、この説明する実施例は、本考案の一部の実施例にすぎず、全ての実施例ではない。本考案中の実施例に基づき、当業者が創造的な労働を必要とせずに得たその他の実施例は、全て本考案の保護範囲に属する。
【００１０】
特別に定義しない限り、本考案で使用する全ての技術及び科学技術用語は、本考案の当業者が通常理解できる意味と同じである。本文において、本考案の明細書中で使用されている技術用語は、具体的に実施例の目的を説明するためだけのものであり、本考案を限定するものではない。
【００１１】
以下、図面と併せて、本考案の実施例について詳細に説明する。矛盾しない限り、以下に記載の実施例と実施例中の特徴は互いに組み合わせることができる。
【００１２】
図１を参照すると、本考案は冷蔵庫１００を提供する。本実施例において、冷蔵庫１００は、カメラ曇り防止装置１０、キャビネット２０及びドア３０を備える。ドア３０はキャビネット２０に接続されており、ドア３０はキャビネット２０に対して開閉できる。カメラ曇り防止装置１０はドア３０に設置される。ドア３０がキャビネット２０に対して閉まっている時、カメラ曇り防止装置１０はキャビネット２０に向いている。本実施例において、説明を容易にするために、ドア３０のキャビネット２０に向かう一面をドアの内表面３０１と定義し、ドア３０の内表面３０１に背面する一面をドア３０の外表面３０３と定義する。
【００１３】
図２を参照すると、カメラ曇り防止構造１０は、ベース１１、カメラ１３及び曇り防止部材１５を備える。
【００１４】
図３及び図４を併せて参照すると、ベース１１は、カメラ１３を配置するのに用いられる。ベース１１は、ロックベース１１１と固定ベース１１３を備える。
【００１５】
図５及び図６を参照すると、本実施例において、ロックベース１１１の断面は略Ｌ型を呈する。ロックベース１１１は、底板１１２と突出部１１４を備える。底板１１２は、略矩形のシート状である。説明を容易にするために、底板１１２のドア３０に背面する一面を第一表面１１２１と定義し、この第一表面１１２１に背面する一面を第二表面１１２２と定義する。
【００１６】
突出部１１４は、底板１１２の第一表面１１２１の一つの辺縁から垂直方向に延伸して形成されている。さらに、ロックベース１１１は補強部１１６を備える。本実施例において、補強部は略Ｌ型を呈する。補強部１１６は、底板１１２と突出部１１４との間に位置して、底板１１２と突出部１１４との間の接続を強固にする。
【００１７】
本実施例において、底板１１２上にはロック孔１１２３が設置されている。このように、ねじ等の取付部品を利用してロック孔１１２３を貫通し、ロックベース１１１をドア３０の内表面３０１に固定する。
【００１８】
一つの実施例において、底板１１２の第二表面１１２２には、係合ブロック１１２４が設置されている。対応して、ドア３０の内表面３０１にも係合ブロック１１２４にマッチするマッチ溝（図示せず）が対応して設置されている。このように、ロックベース１１１は、係合ブロック１１２４により前記マッチ溝に係合される。
【００１９】
もう一つの実施例において、ロックベース１１１を予めドア３０内に埋め込むことによりロックベース１１１を固定してもよい。同時に、突出部１１４は内表面３０１から露出する。
【００２０】
その他の実施例において、カメラ曇り防止装置１０中の各ケーブル（図示せず）の配線を整理するために、突出部１１４上に少なくとも一つの配線溝１１４１が設置される。具体的には、突出部１１４は略長方体を呈し、底板１１２に略垂直に接続された側面と底板１１２に平行な頂面を含む。突出部１１４の頂面には対向して二つのリブが設置されており、この二つのリブ１１４２と突出部１１４の頂面は共同で配線溝１１４１を形成する。前記ケーブルは配線溝１１４１中を貫通することができる。
【００２１】
さらに、突出部１１４の頂面には少なくとも一つの位置決め部１１４３が設置されている。本実施例において、位置決め部１１４３は略Ｍ型を呈する。位置決め部１１４３は、配線溝１１４１を貫通するケーブルを位置決めするのに用いられ、ケーブルが配線溝１１４１から離脱するのを防止する。
【００２２】
底板１１２上には少なくとも一つの第一ケーブル口１１２５が設置されている。突出部１１４の頂面には少なくとも一つの第二ケーブル口１１４４が設置されている。第一ケーブル口１１２５と第二ケーブル口１１４４は何れもケーブルの出し入れに用いられる。
【００２３】
本実施例において、固定ベース１１３は略長方体構造を呈する。固定ベース１１３は頂壁１１５と外周壁１１７を含む。外周壁１１７は、上側壁１１７１、下側壁１１７２、左側壁１１７３及び右側壁１１７４を備える。上側壁１１７１と下側壁１１７２とは対向して設置されている。左側壁１１７３と右側壁１１７４とは対向して設置されている。上側壁１１７１、下側壁１１７２、左側壁１１７３及び右側壁１１７４は、頂壁１１５を囲んで設置されており、共同で配置部２００を形成している。配置部２００は一つの開口１１３１を有する。ロックベース１１１の突出部１１４は、この開口１１３１により、配置部２００に配置される。
【００２４】
その他の実施例において、ドア３０にはさらにトレー４０（図１を参照）が設置されている。固定ベース１１３の外周壁１１７にはブロック１１７５が設置されている。ブロック１１７５は、トレー４０をドア３０に設置するのを補助する。
【００２５】
さらに、外周壁１１７には少なくとも一つの第一通孔１１３２が設置されている。この少なくとも一つの第一通孔１１３２は、外周壁１１７を貫通している。外周壁１１７には第一接続柱１１３３が設置されており、且つ第一接続柱１１３３は配置部２００内に位置する。具体的には、第一接続柱１１３３は円筒構造である。第一接続柱１１３３は、第一通孔１１３２に対応して設置されている。第一接続柱１１３３の一端は、外周壁１１７に略垂直であり、もう一端は配置部２００内に向けて延伸している。本実施例において、第一接続柱１１３３は、左側壁１１７３に設置されている。対応して、突出部１１４上の第一接続柱１１３３に対応する位置には、マッチする第一取付柱１１４５が設置されている。第一取付柱１１４５はねじピラーである。このように、ねじ等の取付部品は第一通孔１１３２により第一接続柱１１３３を貫通でき、並びに、第一取付柱１１４５内に接続される。したがって、第一方向（例えば、Ｘ軸方向）に、固定ベース１１３をロックベース１１１に螺接させる。
【００２６】
固定ベース１１３の頂壁１１５には、一つの凹溝１１８が設けられている。本実施例において、凹溝１１８は略矩形を呈する。凹溝１１８は、底壁１１８１と周壁１１８２を備える。凹溝１１８は、カメラ１３を設置するのに用いられる。凹溝１１８は、キャビネット２０に向けて設置されている。このように、凹溝１１８に設置されているカメラ１３はキャビネット２０内の保存物に対して撮影することができる。対応して、冷蔵庫１００にはさらにタブレットパソコン（図示せず）が設置されている。前記タブレットパソコンはドア３０の外表面３０３に設置されている。タブレットパソコンとカメラ１３は有線又は無線により接続され、カメラ１３が撮影した冷蔵庫１００の保存状況をタブレットパソコン上にフィードバックする。このように、使用者は、ドア３０を開けなくとも冷蔵庫１００内の品物の保存状況がわかる。
【００２７】
さらに、凹溝１１１８には第二通孔１１８３が設けられている。本実施例において、第二通孔１１８３は、底壁１１８１に設置され、且つ底壁１１８１を貫通している。底壁１１８１には、第二接続柱１１８４が設置されており、且つ第二接続柱１１８４は配置部２００内に位置する。具体的には、第二接続柱１１８４は円筒構造である。第二接続柱１１８４は、第二通孔１１８３に対応して設置されている。第二接続柱１１８４の一端は、底壁１１８１に略垂直に接続されており、もう一端は配置部２００内に向けて延伸している。対応して、突出部１１４の第二接続柱１１８４に対応する位置にはマッチする第二取付柱１１４６が設置されている。第二取付柱１１４６はねじピラーである。このように、ねじ等の取付部品は第二通孔１１８３により第二接続柱１１８４を貫通でき、並びに第二取付柱１１４６内に配置される。したがって、第二方向（例えば、Ｙ軸方向）に固定ベース１１３をロックベース１１１に螺接させる。前記第一方向と第二方向とは互いに垂直である。  
【００２８】
その他の実施例において、上側壁１１７１には接続部１１７６が設置されている。接続部１１７６はフック状を呈する。対応して、ロックベース１１１上には接続部１１７６にマッチするクラスプ１１１１が設置されている。接続部１１７６によりクラスプ１１１１に係合され、さらに第二方向に固定ベース１１３をロックベース１１１に固定する。
【００２９】
その他の実施例において、凹溝１１８にはさらに複数のバッフル１１８５が設置されている。本実施例において、バッフル１１８５は曇り防止部材１５を支持するのに用いられる。
【００３０】
底壁１１８１には第一フック１１８６が設置されることが好ましい。第一フック１１８６を介してカメラ１３を係合させるため、カメラ１３は固定ベース１１３上に固定される。具体的には、第一フック１１８６は略Ｕ字状を呈し、カメラ１３を第一フック１１８６のＵ字状の口により、第一フック１１８６に係合させて、カメラ１３を固定する。
【００３１】
さらに、カメラ曇り防止装置１０はコネクタ１７を備える。コネクタ１７は、カメラ１３とドア３０内のその他の電子部品を電気接続するのに用いられる。本実施例において、コネクタ１７はシート状を呈する。対応して、底壁１１８１には少なくとも一つの貫通口１１８７が設けられている。貫通口１１８７はコネクタ１７を配置するのに用いられる。貫通口１１８７は、第一フック１１８６に近接して設置されるのが好ましい。カメラ１３に接続されていないコネクタ１７の一端が貫通口１１８７に挿入された時、カメラ１３も共に第一フック１１８６に係合される。
【００３２】
本実施例において、曇り防止部材１５はさらにカバー板１５１と発熱部材１５３を備える。
【００３３】
カバー板１５１は、凹溝１１８をカバーし、さらにカメラ１３を固定するのに用いられる。本実施例において、カバー板１５１の形状、サイズは凹溝１１８と互いにマッチする。カバー板１５１は略矩形を呈する。カバー板１５１はさらに四つの辺縁を備える。この四つの辺縁はさらに二つの長辺縁と二つの短辺縁を備える。前記二つの長辺縁は互いに対向して設置されている。前記二つの短縁は互いに対向して設置されている。前記二つの長辺縁と二つの短辺縁は、カバー板１５１を囲んで設置され、略矩形のカバー板１５１を形成する。
【００３４】
カバー板１５１はさらに係合部１５１１を備える（図６を参照）。係合部１５１１は凹溝１１８に係合される。具体的には、係合部１５１１はリング状を呈する。カバー板１５１が凹溝１１８をカバーする時、係合部１５１１は凹溝内に配置されて、且つ凹溝１１８の周壁１１８２に貼り合わされる。
【００３５】
さらに、カバー板１５１はフック部１５１３とブロック部１５１５を備える。フック部１５１３とブロック部１５１５１は何れも係合部１５１１のカバー板１５１から離れる一端に設置される。具体的は、フック部１５１３は主体部１５１２と鈎部１５１４を備える（図４を参照）。主体部１５１２は、係合部１５１１が延伸して形成されている。鈎部１５１４は、主体部１５１２の係合部１５１１から離れる一端に設置されている。ブロック部１５１５も係合部１５１１が延伸して形成されている。本実施例において、主体部１５１２はシート状である。ブロック部１５１５は略長方体構造である。フック部１５１３とブロック部１５１５は、対向しており、且つ互いに交互に設置されている（図６を参照）。
【００３６】
対応して、凹溝１１８の周壁１１８２には、フック部１５１３とブロック部１５１５に対応し且つマッチしている係合溝１１８８が設置されている。このように、係合部１５１１が凹溝１１８に配置される時、フック部１５１３とブロック部１５１５は、それぞれ対応して設置されている係合溝１１８８に係合されて、カバー板１５１は凹溝１１８をカバーする。
【００３７】
さらに、カバー板１５１は第二フック１５１８を備える。第二フック１５１８は、カバー板１５１の凹溝１１８に向かう表面に設置されている。本実施例において、第二フック１５１８は略Ｃ型を呈し、係合口を有する。発熱部材１５３は、第二フック１５１８の係合口により、第二フック１５１８中に係合されて発熱部材１５３を固定する。第二フック１５１８は、係合部１５１１に囲まれた空間内に設置され、且つ係合部１５１１に近接する。発熱部材１５３は温度ヒューズ（ｔｈｅｒｍａｌ  ｆｕｓｅ）であるのが好ましい。発熱部材１５３はリング状の構造を呈する。
【００３８】
その他の実施例において、発熱部材１５３の表面にはさらに保護フィルム１５５が覆われている。保護フィルム１５５は、発熱部材１５３が直接カバー板１５１又はカメラ１３等に接触するのを防止する。保護フィルム１５５はアルミホイルであることが好ましい。
【００３９】
本実施例において、カバー板１５１のカメラ１３に対応する位置にはさらに穿孔１５１９が設置されており、カメラ１３のレンズをカバー板１５１から露出させる。このように、カメラ１３を固定すると同時に、さらにカメラ１３の正常な撮影を保証する。発熱部材１５３はカメラ１３を囲んで設置される。このように、カメラ１３のレンズの温度を保証し、ドアを開けた時に内外の温度差によりカメラのレンズが曇り、カメラ１３の撮影に影響するのを防止することができる。
【００４０】
以上のことから、カメラ１３はベース１１に固定され、並びに穿孔１５１９によりカバー板１５１から露出される。曇り防止部材１５上の発熱部材１５３は、カメラ１３を囲んで設置される。このように、カメラ１３のレンズの温度を保証し、ドアを開けた時に内外の温度差によりカメラのレンズが曇り、カメラ１３の撮影に影響するのを防止することができる。また、カメラ曇り防止装置１０は構造が簡単でスピーディに取り付けることができる。
【００４１】
以上の実施例は、単に本考案の技術方案を説明するものであり、これに制限されない。実施形態を参照して本考案に対して詳細に説明しているが、当業者であれば理解できるものであり、本考案の技術方案の精神及び本質を逸脱しない限り、本考案の技術方案に対して修正又は同等なものに置換することができる。
【符号の説明】
【００４２】
１０  カメラ曇り防止装置
１１  ベース
１３  カメラ
１５  曇り防止部材
１７  コネクタ
２０  キャビネット
３０  ドア
４０  トレー
１００  冷蔵庫
１１１  ロックベース
１１２  底板
１１３  固定ベース
１１４  突出部
１１５  頂壁
１１６  補強部
１１７  外周壁
１１８  凹溝
１５１  カバー板
１５３  発熱部材
１５５  保護フィルム
２００  配置部
３０１  内表面  
３０３  外表面
１１１１  クラスプ
１１２１  第一表面
１１２２  第二表面
１１２３  ロック孔
１１２４  係合ブロック
１１２５  第一ケーブル口
１１３１  開口
１１３２  第一通孔
１１３３  第一接続柱
１１４１  配線溝
１１４２  リブ
１１４３  位置決め部
１１４４  第二ケーブル口
１１４５  第一取付柱
１１４６  第二取付柱
１１７１  上側壁
１１７２  下側壁
１１７３  左側壁
１１７４  右側壁
１１７５  ブロック
１１７６  接続部
１１８１  底壁
１１８２  周壁
１１８３  第二通孔
１１８４  第二接続柱
１１８５  バッフル
１１８６  第一フック
１１８７  貫通口
１１８８  係合溝
１５１１  係合部
１５１２  主体部
１５１３  フック部
１５１４  鈎部
１５１５  ブロック部
１５１８  第二フック
１５１９  穿孔
【図１】
0003219453.tif 000003
【図２】
0003219453.tif 000004
【図３】
0003219453.tif 000005
【図４】
0003219453.tif 000006
【図５】
0003219453.tif 000007
【図６】
0003219453.tif 000008